(57)【要約】【課題】主に各種電子機器の操作に用いられるタッチペンに関し、使い易く、確実な操作の可能なものを提供することを目的とする。【解決手段】ケース１１内に形成された制御手段１４が、光検出手段１３の検出した光の明暗または色調に応じて、報知手段１６を駆動することによって、制御手段１４が例えばモータ等の報知手段１６を駆動し、振動等によって操作状態が判別できるため、誤操作がなく、確実な操作が可能なタッチペン２０を得ることができる。【選択図】図１
2013061766.tif 000002
【特許請求の範囲】
【請求項１】
略筒状のケースと、このケースの端部に設けられた光検出手段と、上記ケース内に形成された制御手段及び報知手段からなり、上記制御手段が上記光検出手段の検出した光の明暗または色調に応じて、上記報知手段を駆動するタッチペン。
【発明の詳細な説明】
【技術分野】
【０００１】
本発明は、主に各種電子機器の操作に用いられるタッチペンに関するものである。
【背景技術】
【０００２】
近年、ゲーム機や携帯電話機等の各種電子機器の高機能化や多様化が進むなか、液晶表示素子等の表示素子の前面に光透過性のタッチパネルを装着し、このタッチパネルを通して背面の表示素子の表示を見ながら、タッチペン等でタッチパネルに触れ操作することによって、機器の様々な機能の切換えを行うものが増えており、使い易く確実な操作を行えるものが求められている。
【０００３】
このような従来のタッチペンや電子機器について、図３を用いて説明する。
【０００４】
図３（ａ）は従来のゲーム機の正面図であり、同図において、１は略箱型で絶縁樹脂製の筐体で、この筐体１内には様々な電子部品が実装された配線基板（図示せず）が収納されて、電子回路（図示せず）が形成されると共に、前面には液晶表示素子等の上に、光透過性のタッチパネル等を載置した表示手段２が設けられている。
【０００５】
また、３は略円柱状で絶縁樹脂製のタッチペンで、タッチペン３先端が細径状に形成されると共に、このタッチペン３と、前面に表示手段２が形成された筐体１からゲーム機が構成されている。
【０００６】
以上の構成において、表示手段２に所定のキャラクタ、例えば、自陣地Ａ１や敵陣地Ｂ１等が表示された状態で、タッチペン３先端で自陣地Ａ１上のタッチパネルを接触または押圧操作すると、この操作した箇所のタッチパネルの抵抗値、あるいは静電容量の変化等によって、操作された箇所を筐体１内の電子回路が検出する。
【０００７】
そして、タッチペン３先端を表示手段２に当接させたまま、図３（ｂ）に示すように、例えば左方向へ摺動操作すると、この操作位置の移動を電子回路が検出して、タッチパネル背面の液晶表示素子に表示された自陣地Ａ１が左方向へ移動し、敵砲弾Ｂ２を避けることができる。
【０００８】
また、自陣地Ａ１を所定の位置に移動させた状態で、タッチペン３を軽く叩くように押圧操作すると、これを電子回路が検出して、図３（ｃ）に示すように、自陣地Ａ１から敵陣地Ｂ１に向けて、自砲弾Ａ２が発射される。
【０００９】
つまり、表示手段２背面の液晶表示素子に、自陣地Ａ１や敵陣地Ｂ１等が表示された状態で、この前面のタッチパネルをタッチペン３で接触または押圧操作、あるいは摺動操作すると、この操作位置や操作位置の移動を電子回路が検出して、自陣地Ａ１の移動や自砲弾Ａ２の発射等の、表示手段２の表示が行われるように構成されているものであった。
【００１０】
なお、この出願の発明に関連する先行技術文献情報としては、例えば、特許文献１が知られている。
【先行技術文献】
【特許文献】
【００１１】
【特許文献１】特開２００６−３１４１０号公報
【発明の概要】
【発明が解決しようとする課題】
【００１２】
しかしながら、上記従来のタッチペンや電子機器においては、タッチペン３を表示手段２前面のタッチパネルに当接させ、これを押圧操作または摺動操作して、自陣地Ａ１や自砲弾Ａ２等のキャラクタの操作を行っているため、タッチペン３が表示手段２から離れたり、表示手段２の表示のない箇所を操作したりする等の、誤操作が生じ易くなってしまう場合があるという課題があった。
【００１３】
本発明は、このような従来の課題を解決するものであり、使い易く、確実な操作の可能なタッチペンを提供することを目的とする。
【課題を解決するための手段】
【００１４】
上記目的を達成するために本発明は、ケース内に形成された制御手段が、光検出手段の検出した光の明暗または色調に応じて、報知手段を駆動するようにしてタッチペンを構成したものであり、制御手段が表示手段の光の明暗または色調に応じて、例えばモータ等の報知手段を駆動し、振動等によって操作状態が判別できるため、誤操作がなく、確実な操作が可能なタッチペンを得ることができるという作用を有するものである。
【発明の効果】
【００１５】
以上のように本発明によれば、使い易く、確実な操作が可能なタッチペンを実現できるという有利な効果が得られる。
【図面の簡単な説明】
【００１６】
【図１】本発明の一実施の形態によるタッチペンのブロック回路図
【図２】同ゲーム機の正面図
【図３】従来のゲーム機の正面図
【発明を実施するための形態】
【００１７】
以下、本発明の実施の形態について、図１及び図２を用いて説明する。
【００１８】
なお、これらの図面は構成を判り易くするために、部分的に寸法を拡大して表している。
【００１９】
また、背景技術の項で説明した構成と同一構成の部分には同一符号を付して、詳細な説明を簡略化する。
【００２０】
（実施の形態）
図１は本発明の一実施の形態によるタッチペンのブロック回路図であり、同図において、１１は略筒状で絶縁樹脂製のケースで、細径状に形成された先端部には、ガラスやアクリル等のレンズ１２が装着されている。
【００２１】
そして、ケース１１内には、上下面に複数の配線パターンが形成された配線基板（図示せず）が収納されると共に、この端部のレンズ１２近傍には発光ダイオード等の光検出手段１３が実装装着されている。
【００２２】
また、１４はマイコンやＩＣ等の制御手段で、この制御手段１４に配線パターンを介して光検出手段１３や、レンズ１２からは離れた箇所に実装された基準用の発光ダイオード１５が接続されている。
【００２３】
さらに、１６はモータ等の報知手段で、この報知手段１６がトランジスタ１７を介して制御手段１４に接続されると共に、電池１８が制御手段１４や報知手段１６に接続されて、タッチペン２０が構成されている。
【００２４】
また、図２（ａ）はゲーム機の正面図であり、同図において、１は略箱型で絶縁樹脂製の筐体で、この筐体１内には様々な電子部品が実装された配線基板（図示せず）が収納されて、電子回路（図示せず）が形成されている。
【００２５】
さらに、筐体１前面には液晶表示素子等の上に、光透過性のタッチパネル等を載置した表示手段２が設けられると共に、この表示手段２が形成された筐体１とタッチペン２０からゲーム機が構成されている。
【００２６】
以上の構成において、表示手段２に所定のキャラクタ、例えば、自陣地Ａ１や敵陣地Ｂ１等が表示された状態で、タッチペン２０先端で自陣地Ａ１上のタッチパネルを接触または押圧操作すると、この操作した箇所のタッチパネルの抵抗値、あるいは静電容量の変化等によって、操作された箇所を筐体１内の電子回路が検出する。
【００２７】
なお、この時、例えば自陣地Ａ１や敵陣地Ｂ１等は明色で、これ以外の箇所が暗色の表示であった場合、タッチペン２０先端のレンズ１２を明色の自陣地Ａ１上に当接させると、この明るさを光検出手段１３が検出し、光検出手段１３には１０ｎＡ〜１ｍＡの電流が流れる。
【００２８】
また、これを制御手段１４が検出すると共に、レンズ１２から離れた箇所の基準用の発光ダイオード１５の電流０〜１０ｎＡと比較して、タッチペン２０が明色の自陣地Ａ１に当接したことを検出し、トランジスタ１７によって報知手段１６を駆動させるため、タッチペン２０が振動する。
【００２９】
そして、タッチペン２０先端を表示手段２に当接させたまま、図２（ｂ）に示すように、例えば左方向へ摺動操作すると、この操作位置の移動を電子回路が検出して、タッチパネル背面の液晶表示素子に表示された自陣地Ａ１が左方向へ移動し、敵砲弾Ｂ２を避けることができる。
【００３０】
また、自陣地Ａ１を所定の位置に移動させた状態で、タッチペン２０を軽く叩くように押圧操作すると、これを電子回路が検出して、図２（ｃ）に示すように、自陣地Ａ１から敵陣地Ｂ１に向けて、自砲弾Ａ２が発射される。
【００３１】
つまり、表示手段２背面の液晶表示素子に、自陣地Ａ１や敵陣地Ｂ１等が表示された状態で、この前面のタッチパネルをタッチペン２０で接触または押圧操作、あるいは摺動操作すると、この操作位置や操作位置の移動を電子回路が検出して、自陣地Ａ１の移動や自砲弾Ａ２の発射等の、表示手段２の表示が行われるように構成されている。
【００３２】
また、この時、光検出手段１３が自陣地Ａ１の明るさを検出すると共に、これに応じて制御手段１４が報知手段１６を駆動し、タッチペン２０を振動させることによって、誤操作のない、タッチペン２０による確実な操作が行えるようになっている。
【００３３】
すなわち、タッチペン２０先端を明色の自陣地Ａ１に当接する際、例えば誤って自陣地Ａ１以外の暗色の箇所に当接させてしまった場合には、光検出手段１３には上述したような電流は流れないため、制御手段１４がこれを検出して報知手段１６を駆動せず、タッチペン２０には振動が生じないため、これによってタッチペン２０先端が自陣地Ａ１以外の箇所に当接していることを判別できる。
【００３４】
あるいは、タッチペン２０先端を自陣地Ａ１に当接させたまま摺動操作する際、タッチペン２０が表示手段２から離れたり、自陣地Ａ１以外の箇所に当接したりした場合にも、これを光検出手段１３が検出して、制御手段１４が報知手段１６を駆動しないことで、誤った操作を行っていることが判るようになっている。
【００３５】
つまり、タッチペン２０先端が表示手段２の自陣地Ａ１に当接している場合には、光検出手段１３がこの明るさを検出し、制御手段１４が報知手段１６を駆動してタッチペン２０を振動させ、自陣地Ａ１以外の暗い箇所に当接している場合や、タッチペン２０が表示手段２から離れた場合には、タッチペン２０を振動させないことで、タッチペン２０先端が表示手段２の自陣地Ａ１に正しく当接しているかどうかが、判別できるように構成されている。
【００３６】
なお、以上の説明では、光検出手段１３に発光ダイオードを用い、これによってタッチペン２０先端が当接した表示手段２の、光の明暗を検出する構成として説明したが、光起電力効果を有するフォトダイオードやフォトトランジスタ等を、光検出手段１３に用いた構成としても、本発明の実施は可能である。
【００３７】
また、タッチペン２０が当接した表示手段２の光の明暗ではなく、赤色や青色といった色調を光検出手段１３が検出する構成としても本発明の実施は可能であるが、この場合には、レンズ１２に加え所定の染料や顔料を樹脂内に分散したフィルタや偏光フィルム、あるいは、所定のフィルタ効果を有するレンズを用いることが好ましい。
【００３８】
さらに、以上の説明では、報知手段１６にモータを用い、明暗や色調に応じてタッチペン２０を振動させる構成について説明したが、コイルや磁石を用いて衝撃を加える構成や、あるいは、報知手段１６に発光ダイオードやスピーカを用い、光や音によって操作の正誤を報知する構成としてもよい。
【００３９】
このように本実施の形態によれば、ケース１１内に形成された制御手段１４が、光検出手段１３の検出した光の明暗または色調に応じて、報知手段１６を駆動することによって、制御手段１４が例えばモータ等の報知手段１６を駆動し、振動等によって操作状態が判別できるため、誤操作がなく、確実な操作が可能なタッチペン２０を得ることができるものである。
【産業上の利用可能性】
【００４０】
本発明によるタッチペンは、使い易く、確実な操作の可能なものを得ることができるという有利な効果を有し、主に各種電子機器の操作用として有用である。
【符号の説明】
【００４１】
１  筐体
２  表示手段
１１  ケース
１２  レンズ
１３  光検出手段
１４  制御手段
１５  発光ダイオード
１６  報知手段
１７  トランジスタ
１８  電池
２０  タッチペン
【図１】
2013061766.tif 000003
【図２】
2013061766.tif 000004
【図３】
2013061766.tif 000005